(57)【要約】【課題】耳甲介への密着性が良好であり耳から抜け落ち難いイヤホン装置を提供する。【解決手段】イヤホン装置１０１は、音発生部１０２を収容したハウジング１０３と、イヤホルダ１０４とを備えている。イヤホルダ１０４は、ハウジング１０３の一部を取り囲んだリング部１４０と、リング部１４０から突出した凸部１４１とを備えている。凸部１４１は、使用者の耳の耳甲介に接触する第１傾斜面１４３と、使用者の耳の対耳珠に接触する第２傾斜面１４４と、を有している。凸部１４１の先端部１４２は、音放射方向と垂直方向から見て、第１傾斜面１４３の基端１４３ａよりも第２傾斜面１４４の基端１４４ａに近く、第１傾斜面１４３の傾斜角度は、第２傾斜面１４４の傾斜角度よりも大きく形成されている。【選択図】図４
2015076856.tif 000002
【特許請求の範囲】
【請求項１】
音発生部を有するハウジングと、前記ハウジングに取り付けられたイヤホルダと、を少なくとも備え、
前記イヤホルダは、前記ハウジングの一部を取り囲むリング部と、前記リング部からその径方向に突出した凸部と、を備え、
前記凸部は、前記リング部の音放射方向側の外周部を基端とし当該凸部の先端部に延びた第１傾斜面と、前記リング部の音放射方向と反対側の外周部を基端とし当該凸部の先端部に延びた第２傾斜面と、を有し、
音放射方向と垂直方向から見て、前記凸部の先端部は、前記第１傾斜面の基端よりも前記第２傾斜面の基端に近い
ことを特徴とするイヤホン装置。
【請求項２】
前記イヤホルダは、前記ハウジングに対して着脱可能である
ことを特徴とする請求項１に記載のイヤホン装置。
【請求項３】
前記第２傾斜面には、識別マークが形成されている
ことを特徴とする請求項１又は請求項２に記載のイヤホン装置。
【請求項４】
前記イヤホルダは、前記リング部の中心を軸として前記ハウジングに対して回転可能である
ことを特徴とする請求項１〜３の何れか１項に記載のイヤホン装置。
【請求項５】
前記イヤホルダは、前記ハウジングの外面と前記リング部の内面との静止摩擦によって、当該ハウジングに対して保持される
ことを特徴とする請求項４に記載のイヤホン装置。
【請求項６】
前記凸部は、当該イヤホン装置の使用時に使用者の耳の耳甲介と対耳珠との間に位置する
ことを特徴とする請求項１〜５の何れか１項に記載のイヤホン装置。
【請求項７】
前記凸部の音放射方向側から見た形状は、前記凸部の先端部を頂点とし、前記リング部の外周部の一部を底辺とする略三角形である
ことを特徴とする請求項１〜６の何れか１項に記載のイヤホン装置。
【請求項８】
前記凸部の音放射方向側から見た形状は、前記凸部の先端部を頂点とし、前記リング部の外周部の一部を底辺とする略二等辺三角形である
ことを特徴とする請求項７に記載のイヤホン装置。
【請求項９】
前記イヤホルダは、当該イヤホン装置の右耳用と左耳用とで同形である
ことを特徴とする請求項１〜８の何れか１項に記載のイヤホン装置。
【請求項１０】
前記イヤホルダは、前記リング部の中心と前記凸部の先端部とを通り、かつ、音放射方向と平行な面を対称面として面対称の形状である
ことを特徴とする請求項９に記載のイヤホン装置。
【請求項１１】
前記ハウジングの前記音発生部には、音を発するスピーカ装置が備えられている
ことを特徴とする請求項１〜１０の何れか１項に記載のイヤホン装置。
【請求項１２】
前記ハウジングには、前記イヤホルダに遮蔽されない位置に前記スピーカ装置の振動板と音響的に連通している音響特性調整孔が形成されている
ことを特徴とする請求項１１に記載のイヤホン装置。
【請求項１３】
前記ハウジングには、前記イヤホルダに遮蔽される位置に前記スピーカ装置の振動板と音響的に連通している音響特性調整孔が形成されており、
前記リング部の前記ハウジングとの当接部には、前記音響特性調整孔を密閉することを防止するリブが設けられている
ことを特徴とする請求項１１に記載のイヤホン装置。
【請求項１４】
前記識別マークは、前記第２傾斜面に凸状又は凹状に形成されている
ことを特徴とする請求項３に記載のイヤホン放置。
【請求項１５】
前記識別マークは、前記凸部の音放射方向から見た外形と略相似形である凹状に形成されている
ことを特徴とする請求項１４に記載のイヤホン放置。
【請求項１６】
前記識別マークは、凹状に形成され、その深さが、前記凸部の音放射方向の厚みの半分以下に形成されている
ことを特徴とする請求項１４又は請求項１５に記載のイヤホン装置。
【請求項１７】
前記第１傾斜面側の基端と前記凸部の先端部とを結ぶ平均傾斜角度は、前記第２傾斜面側の基端と前記凸部の先端部とを結ぶ平均傾斜角度よりも大きい
ことを特徴とする請求項１に記載のイヤホン装置。
【請求項１８】
前記ハウジングには、イヤチップが取り付けられている
ことを特徴とする請求項１〜１７の何れか１項に記載のイヤホン装置。
【発明の詳細な説明】
【技術分野】
【０００１】
本発明は、イヤホン装置に関するものである。
【背景技術】
【０００２】
図１５は、特許文献１に開示された従来のインサイドホン（イヤホン装置）を示す正面図である。図１６は、図１５に示されたインサイドホンの断面図である。同図に示すインサイドホンは、電気信号を音に変換するドライバーユニット１０を有するハウジング２と、このハウジング２の外周に一定角度の範囲で回転可能に設けられたフロントキャップ１と、を備えている。
【０００３】
フロントキャップ１は、音放射方向と反対側に配置されたフロントキャップ８と、音放射方向側に配置されたフロントキャップ９と、が一体固定されて成るものであり、外形形状が一部外方に突出する（凸部に符号Ｔを付す。）非円形に形成されている。
【０００４】
ハウジング２には、山部と谷部が交互に複数並んだローレット（不図示）が設けられている。フロントキャップ８には、前記ローレットの各谷部に噛み合うリブ１５と、リブ１５の動きに適度な弾性を与えるための成形バネ１６と、が設けられている。フロントキャップ１は、約９０度の範囲で回転可能とされており、その範囲でリブ１５は前記ローレットの谷部と１５回噛み合うように設定されている。
【０００５】
上記構成のインサイドホンは、例えば、図１５に示すように使用者の耳Ｅに装着される。図１５中の斜線は、耳Ｅに保持された部分を表している。すなわち、インサイドホンは、ハウジング２及びフロントキャップ１の一部が使用者の耳Ｅの耳珠Ｅ２に引っ掛かり、かつ、凸部Ｔが耳甲介Ｅ１と対耳珠Ｅ３との間に位置することにより使用者の耳Ｅに保持される。又、使用者の耳のサイズが図１５に示す耳Ｅよりも小さい場合は、フロントキャップ１を図１５に示す位置に対して反時計回りに回転させ、凸部Ｔを対耳輪Ｅ４の内側に位置させて使用する。
【０００６】
このようにインサイドホンは、フロントキャップ１がハウジング２に対して回転可能に設けられ、かつ、フロントキャップ１の外形形状が一部外方に突出する非円形に形成されているので、耳の大小に応じ最適な装着感を得ることができると共に、耳が小さい子供などにも装着することができる。
【先行技術文献】
【特許文献】
【０００７】
【特許文献１】特許第２９０６４３２号公報
【発明の概要】
【発明が解決しようとする課題】
【０００８】
前述した特許文献１に開示されたインサイドホンは、フロントキャップ９の傾斜角度よりもフロントキャップ８の傾斜角度が大きく形成されているので、フロントキャップ９の耳甲介Ｅ１への密着性が良好ではないという問題点があった。
【０００９】
又、上記インサイドホンは、フロントキャップ１がハウジング２に対して着脱不能であるので、当該インサイドホンのような凸部Ｔが設けられた形状を好まない（耳の形状は、個人差が大きいので）使用者が凸部Ｔをなくすことができないという問題点があった。又、使用者が耳の大きさに合わせて異なる大きさの凸部Ｔを付け替えることもできないという問題点があった。
【００１０】
さらに、上記インサイドホンは、ハウジング２に対してフロントキャップ１を回転させるための機械的な回転機構（ローレット、リブ１５、成形バネ１６等）が必要であるので、コストアップになると共に、回転機構に故障などの不具合が出やすいという問題点があった。
【００１１】
本発明は、このような問題点に対処することを課題の一例とするものである。本発明の目的は、例えば、耳甲介への密着性が良好であり耳から抜け落ち難いイヤホン装置を提供することにある。
【課題を解決するための手段】
【００１２】
前記課題を解決し目的を達成するために、請求項１に記載の本発明のイヤホン装置は、音発生部を有するハウジングと、前記ハウジングに取り付けられたイヤホルダと、を少なくとも備え、前記イヤホルダは、前記ハウジングの一部を取り囲むリング部と、前記リング部からその径方向に突出した凸部と、を備え、前記凸部は、前記リング部の音放射方向側の外周部を基端とし当該凸部の先端部に延びた第１傾斜面と、前記リング部の音放射方向と反対側の外周部を基端とし当該凸部の先端部に延びた第２傾斜面と、を有し、音放射方向と垂直方向から見て、前記凸部の先端部は前記第１傾斜面の基端よりも前記第２傾斜面の基端に近いことを特徴としている。
【図面の簡単な説明】
【００１３】
【図１】本発明の第１の実施例にかかるイヤホン装置の正面図である。
【図２】図１に示されたイヤホン装置の側面図である。
【図３】図１に示されたイヤホン装置の平面図である。
【図４】図１中のＡ−Ａ線に沿った断面図である。
【図５】図１に示されたイヤホルダの音放射方向側を示す斜視図である。
【図６】図１に示されたイヤホルダの音放射方向側を示す背面図である。
【図７】図１に示されたイヤホルダの音放射方向と反対側を示す斜視図である。
【図８】図１に示されたイヤホルダの音放射方向と反対側を示す正面図である。
【図９】図１に示されたイヤホルダの平面図である。
【図１０】図７中のＢ−Ｂ線に沿った断面図である。
【図１１】図１に示されたイヤホルダの寸法関係を説明するための説明図である。
【図１２】図１に示されたイヤホン装置の使用方法を説明するための説明図である。
【図１３】本発明の第２の実施例にかかるイヤホン装置の側面図である。
【図１４】図１３に示されたイヤホルダの音放射方向と反対側を示す正面図である。
【図１５】従来のインサイドホンを示す正面図である。
【図１６】図１５に示されたインサイドホンの断面図である。
【発明を実施するための形態】
【００１４】
以下、本発明の一実施形態を説明する。本発明の一実施形態にかかるイヤホン装置は、音発生部を有するハウジングと、前記ハウジングに取り付けられたイヤホルダと、を少なくとも備えている。前記イヤホルダは、前記ハウジングの一部を取り囲むリング部と、前記リング部からその径方向に突出した凸部と、を備えている。前記凸部は、前記リング部の音放射方向側の外周部を基端とし当該凸部の先端部に延びた第１傾斜面と、前記リング部の音放射方向と反対側の外周部を基端とし当該凸部の先端部に延びた第２傾斜面と、を有している。前記凸部の先端部は、音放射方向と垂直方向から見て、前記第１傾斜面の基端よりも前記第２傾斜面の基端に近い。
又、前記第１傾斜面側の基端と前記凸部の先端部とを結ぶ平均傾斜角度は、前記第２傾斜面側の基端と前記凸部の先端部とを結ぶ平均傾斜角度よりも大きい。
こうすることで、第１傾斜面の傾斜角度が第２傾斜面の傾斜角度よりも大きくなって、第１傾斜面の耳甲介への密着性が良好となるので、イヤホン装置が耳から抜け落ち難い。
【００１５】
又、前記イヤホルダは、前記ハウジングに対して着脱可能な構成であっても良い。こうすることで、凸部のある形状を好まない使用者が凸部を取り外してイヤホン装置を使用することができる。又、使用者が自身の耳の大きさに合わせて異なる大きさの凸部を有するイヤホルダに付け替えることもできる。
【００１６】
又、前記第２傾斜面には、識別マークが形成されていても良い。こうすることで、使用者がイヤホルダを逆向きにハウジングに装着し、イヤホルダの耳甲介への密着性が悪くなるのを防止することができる。
さらに、前記識別マークは、前記第２傾斜面に凸状又は凹状に形成されていても良い。こうすることで、視覚が不自由な使用者が指の感覚などで識別マークを識別することができる。
さらに、前記識別マークは、前記凸部の音放射方向から見た外形と略相似形である凹状に形成されていても良い。こうすることで、イヤホルダの強度を良好に保つことができる。
さらに、前記識別マークは、凹状に形成され、その深さが、前記凸部の音放射方向の厚みの半分以下に形成されていても良い。こうすることで、イヤホルダの強度を良好に保つことができる。
【００１７】
又、前記イヤホルダは、前記リング部の中心を軸として前記ハウジングに対して回転可能な構成であっても良い。こうすることで、使用者が自身の耳の大きさや形状に合わせて最適な位置に凸部を位置付けることができ、イヤホン装置が耳からより一層抜け落ち難くなる。
さらに、前記イヤホルダは、前記ハウジングの外面と前記リング部の内面との静止摩擦によって、当該ハウジングに対して保持される構成であっても良い。こうすることで、ある程度の力を加えるとイヤホルダはハウジングに対して回転する。よって、ハウジングに対してイヤホルダを回転させるための機械的な回転機構が不要となり、コストアップを抑えられると共に、機械的な故障などの不具合を生じ難くできる。
【００１８】
又、前記凸部は、当該イヤホン装置の使用時に使用者の耳の耳甲介と対耳珠との間に位置する構成であっても良い。こうすることで、イヤホン装置が耳からより一層抜け落ち難くなる。
【００１９】
又、前記凸部は、音放射方向側から見た形状が、前記凸部の先端部を頂点とし、前記リング部の外周部の一部を底辺とする略三角形であっても良い。
さらに、前記凸部は、音放射方向側から見た形状が、前記凸部の先端部を頂点とし、前記リング部の外周部の一部を底辺とする略二等辺三角形であっても良い。
【００２０】
又、前記イヤホルダは、当該イヤホン装置の右耳用と左耳用とで同形であっても良い。こうすることで、右耳用と左耳用とでイヤホルダを共通使用することができ、製造工程でコストダウンを図ることが可能となる。
そのための一つの方法として、前記イヤホルダは、前記リング部の中心と前記凸部の先端部とを通り、かつ、音放射方向と平行な面を対称面として面対称の形状であっても良い。
【００２１】
又、前記ハウジングの前記音発生部には、音を発するスピーカ装置が備えられていても良い。
さらに、前記ハウジングには、前記イヤホルダに遮蔽されない位置に前記スピーカ装置の振動板と音響的に連通している音響特性調整孔が形成されていても良い。こうすることで、振動板を良好に作動させることができる。
その他、前記ハウジングには、前記イヤホルダに遮蔽される位置に前記スピーカ装置の振動板と音響的に連通している音響特性調整孔が形成されていても良い。その場合、前記リング部の前記ハウジングとの当接部に、前記音響特性調整孔を密閉することを防止するリブが設けられていても良い。こうすることで、振動板を良好に作動させることができる。
【００２２】
又、前記ハウジングには、イヤチップが取り付けられていても良い。こうすることで、イヤホン装置が耳からより一層抜け落ち難くなると共にイヤホン装置による耳の密閉性を向上させることができる。
【実施例１】
【００２３】
本発明の第１の実施例にかかるイヤホン装置を、図１〜１２を参照して説明する。
【００２４】
図１〜４に示すイヤホン装置１０１は、後述する音声処理装置と共に聴音補助器を構成するものである。このイヤホン装置１０１は、音発生部１０２及びマイクロホン１０６を収容したハウジング１０３と、コード１０５と、ハウジング１０３に取り付けられ、使用者の耳に保持されるイヤホルダ１０４及びイヤチップ１０７と、を備えている。
【００２５】
又、図１〜４に示すイヤホン装置１０１は使用者の左耳に装着されるものであり、該イヤホン装置１０１は、コード１０５により図示しない右耳用のイヤホン装置と接続されている。このように本実施例では左耳用のイヤホン装置１０１と右耳用のイヤホン装置とが対で設けられているが、本発明のイヤホン装置は、左右一方の耳に装着されるものが単独で設けられていても良い。
【００２６】
コード１０５は、コード保持部１０８を介して第２のハウジング１０３ｂから引き出されており、その端部には、図示しない音声処理装置に接続される接続端子が設けられている。このコード１０５は、音発生部１０２と前記音声処理装置とマイクロホン１０６とを電気的に接続するものである。前記音声処理装置は、イヤホン装置１０１と電気的に接続されてマイクロホン１０６が集音した音声信号を処理（増幅又は減衰を含む）して音発生部１０２に出力する音声信号処理回路と、該音声信号処理回路を収容した筐体と、を備えている。
【００２７】
本実施例ではイヤホン装置１０１が聴音補助器に用いられるものであることから、マイクロホン１０６を備えているが、本発明のイヤホン装置においてはマイクロホンは必須の構成ではない。例えば、本発明のイヤホン装置は、オーディオ機器などに接続され、該オーディオ機器から出力される音声信号を音波に変換して使用者の耳に伝えるために用いられるものであっても良く、そのような場合にはマイクロホンを備える必要はない。
【００２８】
ハウジング１０３は、図２，４に示すように、音発生部１０２を収容した第１のハウジング１０３ａと、マイクロホン１０６を収容した第２のハウジング１０３ｂと、を備えている。音発生部１０２は、主にスピーカ装置で構成されている。スピーカ装置は、周知のボイスコイル、振動板、磁気回路を備えている。
【００２９】
第１のハウジング１０３ａは、音発生部１０２を収容した円筒状の収容部１３０と、収容部１３０から円筒状に延び、音発生部１０２からの音波が放射される管部１３１と、を備えている。又、本実施形態の収容部１３０は断面形状が正円であるが、本発明においては、前記収容部は断面形状が楕円であっても良いし、その他の形状であっても良い。この収容部１３０には、前記スピーカ装置の振動板と音響的に連通している音響特性調整孔１３２（図２に示す。）が形成されている。また、図４中の矢印Ｓは、音発生部１０２からの音放射方向を表している。第２のハウジング１０３ｂは、収容部１３０の管部１３１が設けられた側と反対側から音放射方向と交差する方向に延びている。又、管部１３１の延びる方向は、スピーカ装置の音放射方向すなわち音放射方向Sと平行ではなく多少の角度を成していても良い。
【００３０】
イヤチップ１０７は、シリコーンゴムで構成されており、管部１３１の外周に取り付けられている。又、イヤチップ１０７は、シリコーンゴム以外の弾性変形可能な材料で構成されていても良い。このイヤチップ１０７は、イヤホン装置１０１の使用時にその一部又は全部が使用者の耳の外耳道孔に挿入されることにより使用者の耳に保持される。このイヤチップ１０７を設けることにより、イヤホン装置１０１の耳への保持力を向上させることができると共にイヤホン装置１０１による耳の密閉性を向上させることができるが、本発明のイヤホン装置においては、イヤチップ１０７は必須の構成ではなく、必要に応じて適宜設ければ良い。
【００３１】
イヤホルダ１０４は、シリコーンゴムで構成されており、収容部１３０の外周に取り付けられている。又、イヤホルダ１０４は、シリコーンゴム以外の弾性変形可能な材料で構成されていても良い。イヤホルダ１０４は、音放射方向とその反対側に貫通する環状のリング部１４０と、リング部１４０からその径方向に突出した凸部１４１と、を一体に備えている。凸部１４１は、図５〜８に示すように、音放射方向側から見た形状が、凸部１４１の先端部１４２を頂点とし、リング部１４０の外周部の一部を底辺とする略二等辺三角形である。又、本実施形態の凸部１４１は、音放射方向側から見た形状が略二等辺三角形であるが、本発明においては、前記凸部は音放射方向側から見た形状が略正三角形であっても良いし、三辺の長さが全て異なる略三角形であっても良いし、その他の形状であっても良い。
【００３２】
このイヤホルダ１０４は、図１２に示すように、イヤホン装置１０１の使用時にリング部１４０の一部が使用者の耳Ｅの耳珠Ｅ２に引っ掛かり、かつ、凸部１４１が耳甲介Ｅ１と対耳珠Ｅ３との間に位置することにより使用者の耳Ｅに保持される。このように、凸部１４１が耳甲介Ｅ１と対耳珠Ｅ３との間に位置することにより、イヤホン装置１０１がより一層耳Ｅから抜け落ち難くなる。
【００３３】
又、凸部１４１は、図９，１０に示すように、リング部１４０の音放射方向側（イヤチップ１０７側）の外周部を基端１４３ａとし当該凸部１４１の先端部１４２に延びた第１傾斜面１４３と、リング部１４０の音放射方向と反対側（第２のハウジング１０３ｂ側）の外周部を基端１４４ａとし当該凸部１４１の先端部１４２に延びた第２傾斜面１４４と、を有している。第１傾斜面１４３は、図１２に示すように、使用者の耳Ｅの耳甲介Ｅ１に接触する面であり、第２傾斜面１４４は、使用者の耳Ｅの対耳珠Ｅ３に接触する面である。
【００３４】
さらに、凸部１４１の先端部１４２は、図１１（ａ）に示すように、音放射方向と垂直方向から見て、第１傾斜面１４３の基端１４３ａよりも第２傾斜面１４４の基端１４４ａに近い。この構成により、第１傾斜面１４３の傾斜角度が第２傾斜面１４４の傾斜角度よりも大きくなる。本明細書において「第１傾斜面１４３の傾斜角度」とは、図１１（ｂ）に示すように、音放射方向と垂直方向から見て、基端１４３ａと先端部１４２とを結んだ仮想線と基端１４３ａを通る音放射方向に垂直な仮想線とが成す角度θ１と定義する。又、「第２傾斜面１４４の傾斜角度」とは、図１１（ｂ）に示すように、音放射方向と垂直方向から見て、基端１４４ａと先端部１４２とを結んだ仮想線と基端１４４ａを通る音放射方向に垂直な仮想線とが成す角度θ２と定義する。又、θ１は第１傾斜面１４３側の基端１４３aと前記凸部１４１の先端部１４２とを結ぶ平均傾斜角度、θ２は第２傾斜面１４４側の基端１４４aと前記凸部１４１の先端部１４２とを結ぶ平均傾斜角度と定義することができる。この場合、第１傾斜面１４３側の基端１４３aと凸部１４１の先端部１４２とを結ぶ平均傾斜角度は、第２傾斜面１４４側の基端１４４ａと凸部１４１の先端部１４２とを結ぶ平均傾斜角度よりも大きいと言える。この構成により、第１傾斜面１４３の耳甲介Ｅ１への密着性が良好となるので、イヤホン装置１０１が耳から抜け落ち難くなる。
【００３５】
又、イヤホルダ１０４は、弾性変形可能なシリコーンゴムで構成されていることから、力を加えて弾性変形させることでハウジング１０３に対して着脱可能である。このため、凸部１４１のある形状を好まない使用者がイヤホルダ１０４ごと凸部１４１を取り外してイヤホン装置１０１を使用することができる。又、凸部１４１の大きさが異なる複数種のイヤホルダ１０４が用意されておれば、使用者が自身の耳の大きさに合わせて最適な大きさの凸部１４１を有するイヤホルダ１０４を容易にハウジング１０３に付け替えることができる。
【００３６】
さらに、イヤホルダ１０４は、ハウジング１０３の外面とリング部１４０の内面との静止摩擦によってハウジング１０３に対して保持されており、ある程度の力を加えることによりリング部１４０の中心を軸としてハウジング１０３に対して回転させることができる。このため、使用者が自身の耳の大きさや形状に合わせて最適な位置に凸部１４１を位置付けることができ、イヤホン装置１０１がより一層耳から抜け落ち難くなる。このようなイヤホルダ１０４を備えたイヤホン装置１０１は、ハウジング１０３に対してイヤホルダ１０４を回転させるための機械的な回転機構が不要であるので、コストアップを抑えられると共に、機械的な故障などの不具合を生じ難くできる。
【００３７】
又、使用者がイヤホルダ１０４を逆向きにハウジング１０３に装着することを防止するために、第２傾斜面１４４には識別マーク１４６が形成されている。このようにイヤホルダ１０４の誤装着を防止できることにより、イヤホルダ１０４の耳甲介Ｅ１への密着性が悪くなるのを防止することができる。本実施形態の識別マーク１４６は、凸部１４１の音放射方向から見た外形と略相似形である略二等辺三角形の凹状に形成されている。又、識別マーク１４６の深さは、凸部１４１の音放射方向の厚み（基端１４３ａから基端１４４ａまでの厚みとする。）の半分以下に形成されている。このように識別マーク１４６を構成することにより、イヤホルダ１０４の強度を良好に保つことができる。
【００３８】
上述した構成の識別マーク１４６の他、本発明の識別マークは凸状に形成されていても良い。このように識別マークを凸状又は凹状とすることにより、視覚が不自由な使用者が指の感覚などで識別マークを識別することができる。その他、本発明の識別マークは着色によるものでも良いし、凸部１４１の相似形に限らず如何なる形状であっても良い。
【００３９】
又、上述したイヤホルダ１０４は、左耳用のイヤホン装置１０１の構成部品であるが、右耳用のイヤホン装置にもこのイヤホルダ１０４と同じものが用いられている。このように、右耳用と左耳用とでイヤホルダ１０４を共通使用することで、製造工程でコストダウンを図ることが可能となる。なお、右耳用と左耳用とで共通使用を可能とするために、本実施形態のイヤホルダ１０４は、リング部１４０の中心と凸部１４１の先端部１４２とを通り、かつ、音放射方向と平行な面を対称面として面対称の形状となっている。
【００４０】
又、上述した音響特性調整孔１３２（図２に示す。）は、第１のハウジング１０３ａにおけるイヤホルダ１０４に遮蔽される位置に形成されている。このため、リング部１４０における第１のハウジング１０３ａとの当接部には、音響特性調整孔１３２を密閉することを防止するリブ１４５が複数設けられている。図７，１０に示すように、各リブ１４５は、リング部１４０の一方の開口部側から他方の開口部側に延びている。また、複数のリブ１４５は、リング部１４０の周方向に間隔をあけて配置されていると共にリング部１４０の全周に亘って配置されている。このことにより、イヤホルダ１０４が如何なる位置に回転移動した場合でも、音響特性調整孔１３２が密閉されることがなく、前記スピーカ装置の振動板を良好に作動させることができる。
【００４１】
本実施例によれば、凸部１４１の先端部１４２が、音放射方向と垂直方向から見て、第１傾斜面１４３の基端１４３ａよりも第２傾斜面１４４の基端１４４ａに近く、第１傾斜面１４３の傾斜角度が第２傾斜面１４４の傾斜角度よりも大きく形成されているので、第１傾斜面１４３の耳甲介Ｅ１への密着性が良好となり、イヤホン装置１０１が耳から抜け落ち難くなる。
【実施例２】
【００４２】
次に、本発明の第２の実施例にかかるイヤホン装置を、図１３〜１４を参照して説明する。なお、前述した第１の実施例と同一部分には、同一符号を付して説明を省略する。
【００４３】
本実施形態のイヤホン装置２０１は、図１３に示すように、ハウジング２０３におけるイヤホルダ２０４に遮蔽されない位置に、前記スピーカ装置の振動板と音響的に連通している音響特性調整孔２３２が形成されている。このことにより、前記振動板を良好に作動させることができる。詳細には、第２のハウジング１０３ｂの上面部に音響特性調整孔２３２が形成されている。
【００４４】
又、音響特性調整孔２３２がホルダ２０４に遮蔽されない位置に形成されていることから、図１４に示すように、イヤホルダ２０４には、第１の実施形態で説明したリブ１４５が設けられていない。本実施形態のイヤホン装置２０１は、音響特性調整孔２３２の位置と、イヤホルダ２０４にリブ１４５が設けられていないこと以外は、第１の実施形態のイヤホン装置１０１と同一構成である。
【００４５】
なお、前述した実施例は本発明の代表的な形態を示したに過ぎず、本発明は、実施例に
限定されるものではない。即ち、本発明の骨子を逸脱しない範囲で種々変形して実施する
ことができる。
【符号の説明】
【００４６】
１０１，２０１  イヤホン装置
１０２  音発生部
１０３，２０３  ハウジング
１０４，２０４  イヤホルダ
１４０  リング部
１４１  凸部
１４２  先端部
１４３  第１傾斜面
１４４  第２傾斜面
【図１】
2015076856.tif 000003
【図２】
2015076856.tif 000004
【図３】
2015076856.tif 000005
【図４】
2015076856.tif 000006
【図５】
2015076856.tif 000007
【図６】
2015076856.tif 000008
【図７】
2015076856.tif 000009
【図８】
2015076856.tif 000010
【図９】
2015076856.tif 000011
【図１０】
2015076856.tif 000012
【図１１】
2015076856.tif 000013
【図１２】
2015076856.tif 000014
【図１３】
2015076856.tif 000015
【図１４】
2015076856.tif 000016
【図１５】
2015076856.tif 000017
【図１６】
2015076856.tif 000018